(57)【要約】【課題】  レーザ光が通過するレンズに付着した塵埃の有無を容易に確かめることができるレーザ光投影装置及びレーザ光の投影方法を提供することにある。【解決手段】  レンズに付着した塵埃の有無等を確かめるためのレーザ光投影装置において、レンズを通過したレーザ光を映し出す色付きの投影部を備え、レンズに付着した塵埃の影を該投影部に投影して目視可能とし、投影部の色がレーザ光の色の補色又はレーザ光の色と等色相差の関係又はレーザ光の色と類似色相の関係にあることを特徴とする。【選択図】図３
2008052861.tif 000002
【特許請求の範囲】
【請求項１】
レンズに付着した塵埃の有無等を確かめるためのレーザ光投影装置において、
該レンズを通過したレーザ光を映し出す色付きの投影部を備え、該レンズに付着した塵埃の影を該投影部に投影して目視可能とすることを特徴とするレーザ光投影装置。
【請求項２】
前記投影部の色が、前記レーザ光の色の補色又は該レーザ光の色と等色相差の関係又は該レーザ光の色と類似色相の関係にあることを特徴とする請求項１記載のレーザ光投影装置。
【請求項３】
前記投影部の色が、蛍光色であることを特徴とする請求項１又は請求項２記載のレーザ光投影装置。
【請求項４】
前記投影部の色が、該投影部の塵埃の影を目視する面に施されていることを特徴とする請求項１〜請求項３のいずれかに記載のレーザ光投影装置。
【請求項５】
前記レンズが、光ディスクにレーザ光を集光するための対物レンズであることを特徴とする請求項１〜請求項４のいずれかに記載のレーザ光投影装置。
【請求項６】
前記投影部を前記レーザ光が投影可能な位置に支持する支持部を備え、
該支持部は、該支持部を光ディスク装置等のターンテーブルに着脱自在に装着するための装着孔を有することを特徴とする請求項１〜請求項５のいずれかに記載のレーザ光投影装置。
【請求項７】
レンズに付着した塵埃の有無等を確かめるためのレーザ光投影方法において、
該レンズを通過したレーザ光を色付きの投影部に照射し、
該レンズに付着した塵埃の影を該投影部に投影することを特徴とするレーザ光投影方法。
【発明の詳細な説明】
【技術分野】
【０００１】
本発明は、レーザ光を透過させるレンズに付着した塵埃を確認するレーザ光投影装置及びレーザ光の投影方法に関する。
【背景技術】
【０００２】
従来より、光ディスクの評価または光ピックアップの評価あるいは光ディスク装置の評価のため、光ディスクにデータを記録し記録されたデータを再生して、再生信号の波形特性、ジッタ、再生データのエラー率などの測定を行う光ディスク検査装置がある。
【０００３】
このような光ディスク検査装置においては、光ピックアップに取り付けられている対物レンズに塵埃が付着していると、再生信号の波形特性、ジッタ、再生データのエラー率などの測定結果が悪くなり、正しい検査を行えないという問題がある。
【０００４】
これに対し、例えば特許文献１には、光ディスク検査装置に汚れ検知手段を組み込むことで、再生信号（ＳＵＭ信号）の大きさを汚れ検知手段で計測することにより、対物レンズに付着している塵埃の程度を判断し、警告表示を行うことが示されている。
【特許文献１】特開平５−１６６２１６号公報
【発明の開示】
【発明が解決しようとする課題】
【０００５】
しかしながら、光ディスクからの反射光により生成した再生信号（ＳＵＭ信号）の大きさにより塵埃の程度を判断する場合、光ディスクの種類により反射率が僅かながら異なるため、塵埃の大きさや程度を的確に判断できないという問題がある。また、光ディスクの記録又は再生を開始した後に塵埃の程度を判断するため、記録や再生の前に塵埃の判断ができず、警告表示があった場合光ディスクを取り外して清掃を行い、再度光ディスクをセットして記録又は再生を再開することになるため作業効率が悪くなるという問題がある。さらに、塵埃の程度を判断する手段を光ディスク装置に盛り込む必要があるため、単に塵埃の有無のみを確認したい場合であっても装置が複雑となりコストを抑えることが困難であるという問題もある。
【０００６】
本発明は、このような事情に鑑みてなされたもので、レーザ光が通過するレンズに付着した塵埃の有無を容易に確かめることができるレーザ光投影装置及びレーザ光の投影方法を提供することにある。
【課題を解決するための手段】
【０００７】
請求項１記載のレーザ光投影装置は、レンズを通過したレーザ光を映し出す色付きの投影部を備え、レンズに付着した塵埃の影を投影部に投影して目視可能とすることを特徴とする。
【０００８】
請求項２記載のレーザ光投影装置は、投影部の色が、レーザ光の色の補色又はレーザ光の色と等色相差の関係又はレーザ光の色と類似色相の関係にあることを特徴とする。
【０００９】
請求項３記載のレーザ光投影装置は、投影部の色が、蛍光色であることを特徴とする。
【００１０】
請求項４記載のレーザ光投影装置は、投影部の色が、投影部の塵埃の影を目視する面に施されていることを特徴とする。
【００１１】
請求項５記載のレーザ光投影装置は、レンズが、光ディスクにレーザ光を集光するための対物レンズであることを特徴とする。
【００１２】
請求項６記載のレーザ光投影装置は、投影部をレーザ光が投影可能な位置に支持する支持部を備え、支持部は、支持部を光ディスク装置等のターンテーブルに着脱自在に装着するための装着孔を有することを特徴とする。
【００１３】
請求項７記載のレーザ光投影方法は、レンズを通過したレーザ光を色付きの投影部に照射し、レンズに付着した塵埃の影を投影部に投影することを特徴とする。
【発明の効果】
【００１４】
請求項１及び請求項７の発明によれば、レンズを通過したレーザ光を色付きの投影部に照射し、レンズに付着した塵埃の影を投影部に投影することから、塵埃の有無を容易に確かめることができる。
【００１５】
請求項２の発明によれば、投影部の色が、レーザ光の色の補色又はレーザ光の色と等色相差の関係又はレーザ光の色と類似色相の関係にあることから、レンズに付着した塵埃の影を鮮明に映し出すことが可能で、塵埃の有無を容易に確かめることができる。
【００１６】
請求項３の発明によれば、投影部の色が、蛍光色であることから、レンズに付着した塵埃の影をより鮮明に映し出すことが可能で、塵埃の有無を容易に確かめることができる。
【００１７】
請求項４の発明によれば、投影部の色が、投影部の塵埃の影を目視する面に施されていることから、レンズに付着した塵埃の影をさらに鮮明に映し出すことが可能で、塵埃の有無を容易に確かめることができる。
【００１８】
請求項５の発明によれば、レンズが、光ディスクにレーザ光を集光するための対物レンズであり、光ディスクを記録再生等することなく対物レンズに付着した塵埃の有無を容易に確かめることができる。また、光ディスク装置に何ら塵埃の程度を判断する手段を設ける必要がないため、レンズに付着した塵埃を確かめるためのコストを抑えることができる。
【００１９】
請求項６の発明によれば、投影部を支持する支持部を光ディスク装置等のターンテーブルに着脱自在に装着することができることから、光ディスク装置に光ディスクをセットするのと同様な簡易な方法で、塵埃の有無を容易に確かめることができる。
【発明を実施するための最良の形態】
【００２０】
以下、本発明の形態について図面を参照しながら具体的に説明する。本発明の形態におけるレーザ光投影装置は、レーザ光を透過させるレンズに付着した塵埃を確認するためのものである。
【００２１】
図１（ａ）は、光ディスク装置における光ディスクのセット状態と光ピックアップ装置の配置関係の一例を示す概略図である。図１（ｂ）は、本発明に係るレーザ光投影装置の光ディスク装置での使用方法の一例を示す説明図である。図２は、光ピックアップ装置の構成を示す説明図である。図３は本発明に係るレーザ光投影装置の一例を示す説明図である。図４は同レーザ光投影装置の投影部に映し出される照射スポットの説明図である。図５は、色相環を示す説明図である。
【００２２】
図１が示す本発明に係る、光ディスク装置は、光ピックアップ装置１００、ターンテーブル１５０、スピンドルモータ１５２、フィードモータ１５４等からなる。この光ディスク装置は、光ディスクＤＫの評価や光ピックアップ装置１００の評価等を行うもので、光ディスクＤＫにデータを記録し記録されたデータを再生して、再生信号の波形特性、ジッタ、再生データのエラー率などの測定を行う。
【００２３】
図２に示す本発明が適用される光ピックアップ装置１００は、レーザ光源１０２、コリメートレンズ１０４、立ち上げミラー１０６、偏向ビームスプリッタ１０８、１／４波長板１１０、対物レンズ１１２、集光レンズ１１４、シンドリカルレンズ１１６，フォトディテクタ１１８等から構成されている。光ディスクＤＫにレーザ光を集光するための対物レンズ１１２は、二面のうち一面を光ピックアップ装置１００の外側に露出させるように装着されている。対物レンズ１１２は、コリメートレンズ１０４、偏向ビームスプリッタ１０８、１／４波長板１１０等を介して、レーザ光源１０２から照射されたレーザ光が通過するレンズである。尚、対物レンズ１１２を通過して光ディスクＤＫに照射され光ディスクＤＫによって反射されたレーザ光は、再び対物レンズ１１２を通過し、偏向ビームスプリッタ１０８、集光レンズ１１４、シンドリカルレンズ１１６を通過し、フォトディテクタ１１８に至る。尚、図２に示す光路Ｌは、レーザ光源１０２から照射されたレーザ光の光路を示す。
【００２４】
図１（ｂ）、図３等に示す本実施例のレーザ光投影装置１０は、対物レンズ１１２等のレンズに付着した塵埃の有無を確かめるためのものである。レーザ光投影装置１０は、対物レンズ１１２を通過したレーザ光を映し出す色付きの投影部１２を備えている。また、レーザ光投影装置１０は、投影部１２の周囲を保持する板状の支持部１４を有し、投影部１２を覆って投影部１２に外光が直接当たらないようにする管状の遮光部１６が、支持部１４に立設されている。
【００２５】
尚、投影部１２は、例えばトレース紙で構成され、レーザ光を映し出すことが可能な素材である。また、本件実施例のレーザ光投影装置１０の投影部１２は、このトレース紙の遮光部１６側の面に着色が施されている。投影部１２に施されている色は、例えば、橙色の蛍光色である。この橙色は、紫色レーザ光の色相環上の等色相差の関係にある色に該当する。
【００２６】
次に、本実施例のレーザ光投影装置１０の使用方法を説明する。観察者は、光ディスクＤＫを光ディスク装置に装着する前に、レーザ光投影装置１０を手に持ち、投影部１２をレーザ光の光路Ｌ上に移動させる。投影部１２に対物レンズ１１２等を通過したレーザ光を映し出すと、図４に示すように、投影部１２を透過したレーザ光により投影部１２の遮光部１６側の面に照射スポットＳが形成される。レンズに塵埃が付着している場合には、照射スポットＳの中に塵埃の影Ｔが映し出され、観察者は目視により塵埃の有無を確かめることができる。塵埃の影Ｔが小さく目視により確認することが困難な場合には、レーザ光投影装置１０を上下方向に移動し、塵埃の影Ｔを観察しやすい位置に調整するようにすればよい。
【００２７】
以上のように、本実施例のレーザ光投影装置１０によれば、光ディスクＤＫを記録再生等することなく容易に対物レンズ１１２等に付着した塵埃の有無を確かめることができる。また、光ディスク装置に何ら塵埃の程度を判断する手段を設ける必要がないため、レンズに付着した塵埃を確かめるためのコストを抑えることができる。さらに、投影部１２の色が、投影部１２の塵埃の影Ｔを目視する面に施されていることから、塵埃の影Ｔを鮮明に映し出すことが可能で、塵埃の有無を容易に確かめることができる。さらに、レーザ光投影装置１０は、遮光部１６により外乱光をある程度遮断することができるため、対物レンズ１１２等に付着した塵埃の影Ｔが見やすくなる。対物レンズ１１２の外部に露出している面に塵埃が付着していることが確かめられた場合には、塵埃を拭き取るようにする。
【００２８】
尚、上述のレーザ光投影装置１０の投影部１２の色を、橙色の蛍光色で説明したが、これに限られるものではない。投影部１２の色を、色相環上の等色相差の関係にある色のほか、レーザ光の色の色相環上の補色とすることもできる。さらに、補色の蛍光色を用いることもできる。
【００２９】
ここで、色相環とは色相をスペクトルの順序に環状に配列したものをいう。そして、補色とは、色相環上で相互に向かい合う関係にある色をいい、また等色相差の関係にある色とは、色相環上で相互に等しい距離に位置する関係にある３つの色をいう。例えば、紫色のレーザ光が通過する対物レンズ等に付着した塵埃の有無を確かめる場合、投影部１２の色として適切なものは、図５に示す色相環で、補色としては黄緑、等色相差の関係にある色としては橙、青入り緑となる。よって蛍光色を着色した投影部１２として、レーザ光の色の補色である黄緑色の蛍光色、またはレーザ光の色と等色相差の関係にある色である橙色または青入り緑色の蛍光色を着色したものが考えられる。蛍光材を塗布した投影部１２としては、トレース紙に蛍光ペンで色を着色したものが簡単に準備でき、製造コストの低減が可能である。
【００３０】
以上のように、レーザ光の色の補色または等色相差の関係にある色が投影部１２に着色されていると、塵埃の影Ｔが投影部１２に鮮明に映し出されることが実験の結果からわかった。実験の結果では、紫色のレーザ光を投影部１２に映し出す場合には、等色相差の関係にある色である橙色が最も見やすい色であった。さらに、投影部１２の色が蛍光色である場合には照射スポットＳと塵埃の影Ｔに明度差がつくことから塵埃の影Ｔはより鮮明に映し出され、塵埃の有無を容易に確かめることができる。他の色のレーザ光であっても、レーザ光の色と補色、または等色相差の関係にある色の３つの中から観察者にとって最適な色を選ぶようにすればよい。なお、これらの色に限られるものではなく、例えば、紫色のレーザ光の場合は投影部１２の色を図５に示す色相環では補色の隣の色である黄または緑にした方が見やすい場合があるので補色の隣の２つの色、言い換えると補色と等色相差の関係にある色の間の色である類似色相の関係にある色も選択する色の中に加えてもよい。
【００３１】
投影部１２は、レーザ光を映し出すことが可能な素材であればよく、トレース紙以外に、紙、合成樹脂、ガラス、繊維などが考えられる。
【００３２】
次に、レーザ光投影装置の他の実施例を説明する。図６（ａ）は光ディスク装置における光ディスクのセット状態と光ピックアップ装置の配置関係の他の例を示す概略図、図６（ｂ）は本発明に係るレーザ光投影装置の光ディスク装置での使用方法の他の例を示す説明図である。図７は、本発明に係るレーザ光投影装置の他の例を示す説明図である。
【００３３】
図６が示す本発明に係る、光ディスク装置は、光ピックアップ装置１００から照射されるレーザ光が光ディスクＤＫに下向きに照射されるものである。図６（ｂ）、図７に示す本実施例のレーザ光投影装置２０は、対物レンズ１１２等のレンズに付着した塵埃の有無を確かめるためのものである。レーザ光投影装置２０は、対物レンズ１１２等を通過したレーザ光を映し出す色付きの投影部２２を備えている。また、レーザ光投影装置２０は、投影部２２の周囲を保持する板状の支持部２４を有し、支持部２４の外周上に棒状の取手部２８が付設されている。
【００３４】
このように構成したレーザ光投影装置２０を用いて、光ディスク装置の光ピックアップ装置１００の対物レンズ１１２に付着した塵埃の有無を確かめる場合を説明する。まず、観察者は光ディスクＤＫを光ディスク装置に装着する前に、取手部２８を手に持ち、投影部２２をレーザ光の光路Ｌ上に移動させる。投影部２２に対物レンズ１１２等を通過したレーザ光を映し出すと、図４に示すように、投影部２２を透過したレーザ光により投影部２２に照射スポットＳが形成される。レンズに塵埃が付着している場合には、照射スポットＳの中に塵埃の影Ｔが映し出され、観察者は目視により塵埃の有無を確かめることができる。塵埃の影Ｔが小さく目視により確認することが困難な場合には、レーザ光投影装置２０を上下方向に移動し、塵埃の影Ｔを観察しやすい位置に調整するようにすればよい。
【００３５】
このように、本実施例によるレーザ光投影装置２０によれば、光ピックアップ装置１００から照射されるレーザ光が光ディスクＤＫに下向きに照射される場合であっても塵埃の有無を容易に確かめることができる。
【００３６】
次に、本発明のレーザ光投影装置の他の実施例を説明する。図８は本発明に係るディスク状のレーザ光投影装置の一例を示す説明図、図９は同レーザ光投影装置の投影部に映し出される照射スポットＳの説明図である。
【００３７】
本実施例のレーザ光投影装置３０は、対物レンズ１１２等のレンズに付着した塵埃の有無を確かめるためのものである。レーザ光投影装置３０は、投影部３２と、遮光部３６と、投影部３２の周囲を保持するディスク形状の支持部３４とからなる。支持部３４の中心には光ディスク装置等のターンテーブルに着脱自在に装着する装着孔３８が設けられている。支持部３４には、扇状の穴が穿設され、その周囲に管状の遮光部３６が立設されている。そして、遮光部３６内の中間に、支持部３４に平行にトレース紙等で形成された投影部３２が設けられている。投影部３２の遮光部３６内の取り付け位置は、対物レンズ１１２との距離の関係で、塵埃の影Ｔが目視により確認しやすい位置である。
【００３８】
このように構成したレーザ光投影装置３０を用いて、図１に示す光ディスク装置の光ピックアップ装置１００の対物レンズ１１２等に付着した塵埃の有無を確かめる場合を説明する。まず、観察者は、装着孔３８を利用してレーザ光投影装置３０を、図１（ａ）に示す光ディスク装置のターンテーブル１５０に装着する。次に、投影部３２にレーザ光が当たるように、フィードモータ１５４等を使ってレーザ光投影装置３０の位置を調整する。
【００３９】
このように、光ディスク装置のターンテーブル１５０に装着可能なレーザ光投影装置３０によれば、光ディスク装置に光ディスクＤＫをセットするのと同様な簡易な方法で、対物レンズ１１２等に付着した塵埃の有無を容易に確かめることができる。また、投影部３２の取り付け位置が塵埃の影Ｔを目視により確認しやすい位置にあらかじめ調整されているため、塵埃の有無を確かめるための作業効率の向上を図ることができる。また、対物レンズ１１２との距離を一定に保つことができることから、塵埃の影Ｔを同じスケールで確認することができ、目視により確認することの個人差を軽減することができる。
【００４０】
次に、本発明のレーザ光投影装置のさらに他の実施例を説明する。図１０は、本発明に係るディスク形状のレーザ光投影装置の他の例を示す説明図である。レーザ光投影装置４０は、投影部４２と、遮光部４６と、投影部４２の周囲を保持するディスク形状の支持部４４とからなる。支持部４４の中心には光ディスク装置等のターンテーブルに着脱自在に保持する装着孔４８が設けられている。支持部４４には、扇状の穴が穿設され、その周囲に管状の遮光部４６が下方に向かって立設されている。そして、遮光部４６内の中間に、支持部４４に平行にトレース紙等で形成された投影部４２が設けられている。投影部４２の遮光部４６内の取り付け位置は、対物レンズ１１２との距離の関係で、塵埃の影Ｔが目視により確認しやすい位置である。このような構成のレーザ光投影装置４０によれば、図６（ａ）に示すような光ピックアップ装置１００から照射されるレーザ光が光ディスクＤＫに下向きに照射される場合あっても、照射スポットＳを投影部４２に形成することができる。
【００４１】
また、図１１に示すようなディスク状で、遮光部を有しないレーザ光投影装置５０であってもよい。レーザ光投影装置５０は、投影部５２と、投影部５２の周囲を保持するディスク形状の支持部５４と、高さ調整部５６とからなる。支持部５４の中心には光ディスク装置等のターンテーブルに着脱自在に保持する装着孔５８が設けられている。高さ調整部５６は、円環状で、装着孔５８の下方の周囲に設けられている。高さ調整部５６は、投影部５２を、映し出される塵埃の影Ｔを目視により確認しやすい位置にあらかじめ調整するものである。レーザ光投影装置５０によれば、遮光部を有しないことから、遮光部が障害となる形状の光ディスク装置であっても塵埃の影を投影部５２に映し出すことができる。
【００４２】
尚、投影部５２が半透明の合成樹脂などの硬質の材料の場合は、投影部５２を支持部５４で支持する必要はない。この場合には、投影部５２をディスク形状として高さ調整部５６を設けることでレーザ光投影装置を構成することができる。また、レーザ光投影装置３０，４０，５０では、支持部をディスク形状として説明しているが、投影部を支持する支持部の形状はディスク形状に限られない。例えば支持部の形状が楕円形や、長方形、多角形などであっても、投影部に塵埃の影を映し出すことが可能である。
【００４３】
尚、発明を実施するための最良の形態の説明では、レーザ光を光源とする光ディスク装置の対物レンズに付着した塵埃の有無を確認することを説明している。これは、外部に露出しているレンズに塵埃の付着する可能性が極めて高いためである。しかしながら、本発明において塵埃の影を投影することができるのは対物レンズに付着した塵埃に限られない。レーザ光源から出射されたレーザ光がレーザ光投影装置の投影部に写し出されるまでに通過するすべての光学部品に付着している塵埃の影を投影することができる。従って、組立直後の光ピックアップ装置や調整直後の光ピックアップ装置においては、本発明によるレーザ光投影装置によりレーザ光が通過するすべての光学部品に付着している塵埃を確認するとよい。
【００４４】
また、投影部の素材としてレーザ光を透過可能なトレース紙等で説明しているが、レーザ光を透過せず反射する素材を用いてもよい。投影部がレーザ光を反射する素材の場合であっても、レーザ光による照射スポットを形成可能で、反射光の強度を適切な方法で抑えれば塵埃の影を目視でき塵埃の有無を確かめることができる。
【００４５】
さらに、本発明を利用するレーザ光を光源とする装置は、光ディスク装置に限られるものではない。例えば、レーザ光をコリメートレンズ、コンデンサレンズなどを通過させるプロジェクタや、レーザ光をリレーレンズ、集光レンズなどを通過させる液晶表示装置、レーザ光を対物レンズなどを介して標本面上に集光させるレーザ走査型顕微鏡などにも本発明のレーザ光投影装置を利用することができる。
【産業上の利用可能性】
【００４６】
以上のように、レーザ光が通過するレンズに付着した塵埃の有無を容易に確かめることができるレーザ光投影装置及びレーザ光の投影方法を提供することができる。
【図面の簡単な説明】
【００４７】
【図１】（ａ）光ディスク装置における光ディスクのセット状態と光ピックアップ装置の配置関係の一例を示す概略図である。  （ｂ）本発明に係るレーザ光投影装置の光ディスク装置での使用方法の一例を示す説明図である。
【図２】光ピックアップ装置の構成を示す説明図である。
【図３】本発明に係るレーザ光投影装置の一例を示す説明図である。
【図４】同レーザ光投影装置の投影部に映し出される照射スポットの説明図である。
【図５】色相環を示す説明図である。
【図６】（ａ）光ディスク装置における光ディスクのセット状態と光ピックアップ装置の配置関係の他の例を示す概略図である。  （ｂ）本発明に係るレーザ光投影装置の光ディスク装置での使用方法の他の例を示す説明図である。
【図７】本発明に係るレーザ光投影装置の他の例を示す説明図である。
【図８】本発明に係るディスク状のレーザ光投影装置の一例を示す説明図である。
【図９】同レーザ光投影装置の投影部に映し出される照射スポットの説明図である。
【図１０】本発明に係るディスク状のレーザ光投影装置の他の例を示す説明図である。
【図１１】本発明に係るディスク状のレーザ光投影装置のさらに他の例を示す説明図である。
【符号の説明】
【００４８】
１０・・・・レーザ光投影装置
１２・・・・投影部
１４・・・・支持部
１６・・・・遮光部
２０・・・・レーザ光投影装置
２２・・・・投影部
２４・・・・支持部
２８・・・・取手部
３０・・・・レーザ光投影装置
３２・・・・投影部
３４・・・・支持部
３６・・・・遮光部
３８・・・・装着孔
４０・・・・レーザ光投影装置
４２・・・・投影部
４４・・・・支持部
４６・・・・遮光部
４８・・・・装着孔
５０・・・・レーザ光投影装置
５２・・・・投影部
５４・・・・支持部
５６・・・・高さ調整部
５８・・・・装着孔
１００・・・光ピックアップ装置
１０２・・・レーザ光源
１０４・・・コリメートレンズ
１０６・・・立上ミラー
１０８・・・偏向ビームスプリッタ
１１０・・・１／４波長板
１１２・・・対物レンズ
１１４・・・集光レンズ
１１６・・・シンドリカルレンズ
１１８・・・フォトディテクタ
１５０・・・ターンテーブル
１５２・・・スピンドルモータ
１５４・・・フィードモータ
ＤＫ・・・・光ディスク
Ｅ・・・・・視点
Ｌ・・・・・光路
Ｓ・・・・・照射スポット
Ｔ・・・・・塵埃の影
【図１】
2008052861.tif 000003
【図２】
2008052861.tif 000004
【図３】
2008052861.tif 000005
【図４】
2008052861.tif 000006
【図５】
2008052861.tif 000007
【図６】
2008052861.tif 000008
【図７】
2008052861.tif 000009
【図８】
2008052861.tif 000010
【図９】
2008052861.tif 000011
【図１０】
2008052861.tif 000012
【図１１】
2008052861.tif 000013